(57)【要約】    【課題】  天板の浮き上がりをなくし、封緘時の外観不良及び破損を防止する。    【解決手段】  飲み口が形成された容器４の頭部４ａの直径より小径に形成されると共に、少なくとも周縁部２ａが容器４に向かって湾曲され、容器４の頭部４ａを覆う天板２と、熱可塑性フィルムからなり、天板２の直径より小径の開口３ｃが形成されると共に、外径が頭部４ａより大径に形成され、開口３ｃが天板２により塞がれるように、開口３ｃの周縁部の下面に前記天板２の周縁部の上面が固定された略円環板状の上縁部材３ａ及び上縁部材３ａの周縁部から容器４の外周に沿って少なくともその首部４ｂまで延出された略円筒状の周側部材３ｂを有する被覆部３と、を含んでキャップシール１が構成される。【選択図】  図１
2005200048.tif 000002
【特許請求の範囲】
【請求項１】
飲み口が形成された容器の頭部の直径より小径に形成されると共に、少なくとも周縁部が前記容器に向かって湾曲され、前記容器の頭部を覆う天板と、
熱可塑性フィルムからなり、前記天板の直径より小径の開口が形成されると共に、外径が前記頭部より大径に形成され、前記開口が前記天板により塞がれるように、前記開口の周縁部の下面に前記天板の周縁部の上面が固定された略円環板状の上縁部材及び前記上縁部材の周縁部から前記容器の外周に沿って少なくともその首部まで延出された略円筒状の周側部材を有する被覆部と、
を含んで構成されたことを特徴とするキャップシール。
【請求項２】
前記天板は、周縁部が前記容器に向かうように、全面に亘って湾曲されていることを特徴とする請求項１に記載のキャップシール。
【発明の詳細な説明】
【技術分野】
【０００１】
本発明は、飲み口が形成された瓶等の容器の頭部を被覆して封緘するキャップシールに関し、特に、封緘時の外観不良及び破損を防止する技術に関する。
【背景技術】
【０００２】
従来、牛乳等の製品が充填された瓶等の容器には、容器の保護、衛生、或いは商標等の表示や装飾の目的で、飲み口が形成された頭部をフィルムシートにより被覆して封緘するキャップシールが多く用いられている。かかるキャップシールは、例えば、実用新案登録第２５１６０４７号公報（特許文献１）に記載されているように、飲み口が形成された牛乳瓶等の容器の頭部を覆う平板状の天板と、熱可塑性フィルムからなり、略円筒状に形成された被覆部と、を含んで構成されている。更に、この被覆部は、天板の直径より小径の開口が形成されると共に、外径が頭部より大径に形成され、開口が天板により塞がれるように、開口の周縁部の下面に前記天板の周縁部の上面が固定された略円環板状の上縁部材と、上縁部材の周縁部から容器の外周に沿って少なくともその首部まで延出された略円筒状の周側部材と、を含んで構成されている。そして、このキャップシールは、被覆部を加熱され、熱収縮することにより、天板と共に被覆部が容器の頭部及び首部に密着し、容器の飲み口を封緘していた。
【特許文献１】実用新案登録第２５１６０４７号公報
【発明の開示】
【発明が解決しようとする課題】
【０００３】
ところで、図３（ａ）に示すように、容器３１の頭部３１ａには、容器内の製品を飲む際の飲み口が形成されているので、その外周の上端部は、通常、面取りされている。一方、キャップシール３０の天板３３は平板状であるため、頭部３１ａに被せると、その周縁部３３ａは頭部３１ａの上面と離隔している。そのため、被覆部３２が加熱されたときに、上縁部材３２ａが全周に亘って略均等に収縮しないと、先に収縮した上縁部材３２ａの部分により、天板３３の周縁部３３ａの一部分が図中下方へ押圧され、てこの作用で、その反対側に位置する周縁部３３ａが図中上方へ浮き上がってしまう。
【０００４】
これにより、キャップシール３０が容器３１を封緘したときに、天板３３の周縁部３３ａが被覆部３２と共に浮き上がった状態となるので、見栄えが悪くなってしまうという問題点があった。
更に、天板３３の周縁部３３ａの浮き上がりが大きくなると、図３（ｂ）に示すように、容器３１の頭部３１ａと天板３３の周縁部３３ａとの間に被覆部３３が挟み込まれ、更に見栄えが悪化するとともに、頭部３１ａと周縁部３３ａとの間に挟み込まれた被覆部３２が破損し、頭部３１ａが露出する恐れがあった。
【０００５】
そこで、本発明は以上のような従来の問題点に鑑み、天板の浮き上がりをなくし、封緘時の外観不良及び破損を防止したキャップシールを提供することを目的とする。
【課題を解決するための手段】
【０００６】
このため、請求項１に記載の発明は、飲み口が形成された容器の頭部の直径より小径に形成されると共に、少なくとも周縁部が前記容器に向かって湾曲され、前記容器の頭部を覆う天板と、熱可塑性フィルムからなり、前記天板の直径より小径の開口が形成されると共に、外径が前記頭部より大径に形成され、前記開口が前記天板により塞がれるように、前記開口の周縁部の下面に前記天板の周縁部の上面が固定された略円環板状の上縁部材及び前記上縁部材の周縁部から前記容器の外周に沿って少なくともその首部まで延出された略円筒状の周側部材を有する被覆部と、を含んでキャップシールが構成されたことを特徴とする。
【０００７】
請求項２に記載の発明は、前記天板は、周縁部が前記容器に向かうように、全面に亘って湾曲されていることを特徴とする。
【発明の効果】
【０００８】
請求項１に記載の発明によれば、天板が容器の頭部の直径より小径に形成されると共に、少なくとも周縁部が前記容器に向かって湾曲されるので、頭部に被せると、天板の周縁部が面取り加工されている頭部の上面に接する。そのため、被覆部が熱収縮したときに、上縁部材を介して容器の頭部に向かって天板を押圧する力は、天板の湾曲を戻す方向に作用する。これにより、天板が容器の頭部の形状に沿って変形して、密着するので、被覆部の上縁部材が円周方向に亘って略均等に収縮しなくとも、天板の周縁部が容器の頭部から浮き上がることがなく、封緘時におけるキャップシールの見栄えの悪化を防止する。更に、頭部と周縁部との間に被覆部が挟み込まれることなく、被覆部の破損を防止でき、頭部の保護及び衛生保持を図ることができる。
【０００９】
請求項２に記載の発明によれば、天板が全面に亘って湾曲されているので、被覆部が熱収縮したときに、天板は、上縁部材により容器に向かって押圧されることにより平板状になる。これにより、天板の中央部が周縁部より下方に反ることがなく、周縁部が容器の頭部より持ち上がってしまうことが防止され、封緘時におけるキャップシールの見栄えの悪化を防止できる。
【発明を実施するための最良の形態】
【００１０】
以下、添付された図面を参照して本発明を詳述する。
本発明の実施形態に係るキャップシール１は、図１に示すように、ポリエチレンテレフタレート等の樹脂により略円板状に形成された天板２と、熱可塑性フィルムシートで略円筒状に形成された被覆部３と、を含んで構成されている。
天板２は、周縁部２ａが全周に亘り板厚方向に湾曲している。
【００１１】
被覆部３は、上縁部材３ａと周側部材３ｂとを含んで構成される。
上縁部材３ａは、略円環板状に形成されており、天板２の直径より小径の開口３ｃが形成されると共に、封緘する容器の頭部より大径に外径が形成されている。
周側部材３ｂは、上縁部材３ａの周縁部から下方に向けて、封緘する容器の頭部から首部にかけて延出するように略円筒状に形成されている。
【００１２】
このようなキャップシール１の製造方法は、まず、四辺形の熱可塑性フィルムシートの両側縁部を、一方の側縁部の表面と他方の側縁部の裏面とを接着もしくは融着させて、筒状に形成し、その一端を加熱して内側に折り曲げ、上縁部材３ａを形成することにより、被覆部３を形成する。
そして、上縁部材３ａの開口３ｃが天板２により塞がれるように、開口３ｃの周縁部の上縁部材３ａの下面に、天板２の周縁部２ａの上面を熱融着により全周に亘り固定する。このとき、天板２の周縁部２ａが被覆部３の内方に向かうように配置する。なお、この天板２を上縁部材３ａに固定する際に、接着剤を用いても良い。
【００１３】
このようにして、一端が天板２及び上縁部材３ａにより遮蔽され、他端が開口した略円筒状のキャップシール１が形成される。
ここで、このようなキャップシール１を用いて、内容物が充填された容器の頭部を封緘する際の要領について説明する。
まず、内容物が充填された容器４の頭部４ａには、容器４内の内容物が漏出しないように、紙等にて形成された中蓋５が設けられる。
【００１４】
そして、この容器４の頭部４ａ及び首部４ｂを覆うように、前述のキャップシール１が被せられる。このとき、天板２が容器４の頭部４ａの上面に接するようにする。
次に、キャップシール１を加熱すると、図２に示すように、熱可塑性フィルムにて形成された被覆部３が収縮し、容器４の頭部４ａ及び首部４ｂに密着する。
このとき、被覆部３が収縮することにより、上縁部材３ａは天板２を容器４に向かって押圧する。ところで、天板２は、容器の頭部の直径より小径に形成され、かつ、その周縁部２ａが容器４に向かって湾曲しているため、周縁部２ａは、面取りされている容器４の頭部４ａの上面に接している。そのため、上縁部材３ａを介して容器４の頭部４ａに向かって天板２を押圧する力は、天板２の湾曲を戻す方向に作用して、天板２が容器４の頭部４ａの形状に沿って変形して、密着するようになる。これにより、上縁部材３ａが全周に亘って略均等に収縮されずに、天板２の周縁部２ａの一部分が先に押圧されても、天板２の周縁部２ａは頭部４ａに密着しているので、図中下方へ移動せず、その反対側に位置する周縁部２ａが浮き上がることはない。
【００１５】
以上のように、容器４の頭部４ａの直径より小径に形成されると共に、周縁部２ａが湾曲した天板２を有するキャップシール１により、頭部４ａを覆ったので、被覆部３が熱収縮したときに天板２が浮き上がることがなく、キャップシール１の外観不良を防止できる。更に、容器４の頭部４ａと天板２の周縁部２ａの間に被覆部３が挟み込まれることによる、被覆部３の破損を防止し、容器４の頭部４ａが露出するのを防止できる。
【００１６】
なお、本実施例では、周縁部２ａが湾曲した天板２について述べたが、周縁部２ａのみ湾曲することに限定されるものではなく、天板２全体が湾曲したものでもよい。天板２が容器４の頭部４ａの直径より小径に形成され、少なくともその周縁部２ａが容器４の頭部４ａの上面に接するように下方に湾曲していれば、同様の効果が得られる。更に、被覆部３が熱収縮するときに、天板２は、上縁部材２ａにより容器４に向かって押圧されることにより平板状になる。これにより、天板２の中央部が周縁部２ａより下方に反ることがなく、周縁部２ａが容器４の頭部４ａより持ち上がってしまうことが防止される。
【００１７】
また、牛乳瓶のように、容器４の頭部４ａの外径が略同一であり、各種製品によって頭部４ａの上面の面取り寸法等の形状が相違する場合でも、本願発明のキャップシールは、被覆部３が熱収縮するときに、上縁部材３ａを介して容器４の頭部４ａに向かって天板２を押圧する力は、天板２の湾曲を戻す方向に作用する。これにより、天板２が容器４の頭部４ａの形状に沿って変形して、密着するので、天板２が浮き上がることなく、同一のキャップシールを使用することができる。更に、容器４の頭部４ａの外径が相違する場合でも、同様に、天板２は容器４の頭部４ａの形状に沿って変形して、密着するので、天板２が浮き上がることがなく、同一のキャップシールを使用することができる。
【００１８】
また、本実施例において、更に、天板２の板厚を厚くすることが望ましい。通常、天板２の板厚は、１００〜１３０μｍであるが、これを、１８０〜２５０μｍとする。これにより、天板２は質量が増加するので、被覆部３が熱収縮するときに容器４に向かって押圧されても浮き上がりにくくなる。
【図面の簡単な説明】
【００１９】
【図１】本発明の実施形態におけるキャップシールの構造を示す断面図
【図２】同上により容器を封緘した状態を示す断面図
【図３】従来のキャップシールにより容器を封緘した状態を示し、（Ａ）は天板が浮いた状態の説明図、（Ｂ）は被覆部が挟み込まれた状態の説明図
【符号の説明】
【００２０】
１  キャップシール
２  天板
２ａ  周縁部
３  被覆部
３ａ  上縁部材
３ｂ  周側部材
３ｃ  開口
４  容器
４ａ  頭部
４ｂ  首部
【図１】
2005200048.tif 000003
【図２】
2005200048.tif 000004
【図３】
2005200048.tif 000005